(57)【要約】【課題】排便前に便器内に使用することにより、個室内の壁や床を汚すことなく、しかも、悪臭の拡散を事前に抑制することのできる容器入り消臭剤及び消臭組成物を提供する。【解決手段】噴霧手段を備えた容器とその内容液とで構成され、排便前に前記内容液を便器内に噴霧することにより大便由来の悪臭が拡散するのを未然に防止する容器入り消臭剤であって、前記内溶液は、大便の便器への付着を防止する付着防止成分と、大便の臭気成分を捕捉する臭気捕捉成分と、噴霧により形成されたエアロゾルの重量を増大させる重量増加成分とを含有することとした。【選択図】図１
2014008265.tif 000002
【特許請求の範囲】
【請求項１】
噴霧手段を備えた容器とその内容液とで構成され、排便前に前記内容液を便器内に噴霧することにより大便由来の悪臭が拡散するのを未然に防止する容器入り消臭剤であって、
前記内溶液は、大便の便器への付着を防止する付着防止成分と、
大便の臭気成分を捕捉する臭気捕捉成分と、
噴霧により形成されたエアロゾルの重量を増大させる重量増加成分とを含有することを特徴とする容器入り消臭剤。
【請求項２】
前記付着防止成分は、非イオン系界面活性剤であることを特徴とする請求項１に記載の容器入り消臭剤。
【請求項３】
前記臭気捕捉成分は、両性界面活性剤であることを特徴とする請求項１または２に記載の容器入り消臭剤。
【請求項４】
前記重量増加成分は、高分子ポリマーであることを特徴とする請求項１〜３いずれか１項に記載の容器入り消臭剤。
【請求項５】
請求項１〜４いずれか１項に記載の容器入り消臭剤の内容液として使用するための、大便の便器への付着を防止する付着防止成分と、大便の臭気成分を捕捉する臭気捕捉成分と、噴霧により形成されたエアロゾルの重量を増大させる重量増加成分とを含有させた消臭組成物。
【発明の詳細な説明】
【技術分野】
【０００１】
本発明は容器入り消臭剤及び消臭組成物に関する。
【背景技術】
【０００２】
従来、公衆用や一般家庭のトイレの個室内にて排便による悪臭を低減すべく、個室内雰囲気に噴霧する消臭剤が種々提案されている。
【０００３】
このような消臭剤の一例を挙げると、例えば、エアゾール缶内に充填された香料を含有する内容液を、悪臭が漂う個室空間内に噴霧するものがある（例えば、特許文献１参照。）。
【０００４】
このような消臭剤によれば、内容液に含まれる香料によって悪臭をマスキングすることができ、トイレを使用した者や、次にトイレを使用する者に対して悪臭を感じにくくさせることができる。
【先行技術文献】
【特許文献】
【０００５】
【特許文献１】特開２００３−０８２３３８号公報
【発明の概要】
【発明が解決しようとする課題】
【０００６】
しかしながら、上記従来の消臭剤では、マスキングのための強烈な芳香成分と悪臭とが混ざり合い、極めて不快な臭気状態となる場合がある。
【０００７】
また、悪臭を低減させるためには、個室内に満遍なく噴霧するため、内容液が壁や床に付着してシミや汚れを生じさせる原因となっていた。
【０００８】
さらに、現在提案されている消臭剤は排便後に使用するものであることから、拡散した悪臭を十分に低減することが極めて困難であった。
【０００９】
本発明は、斯かる事情に鑑みてなされたものであって、排便前に便器内に使用することにより、個室内の壁や床を汚すことなく、しかも、悪臭の拡散を事前に抑制することのできる容器入り消臭剤及び消臭組成物を提供する。
【課題を解決するための手段】
【００１０】
上記従来の課題を解決するために、本発明に係る容器入り消臭剤では、噴霧手段を備えた容器とその内容液とで構成され、排便前に前記内容液を便器内に噴霧することにより大便由来の悪臭が拡散するのを未然に防止する容器入り消臭剤であって、前記内溶液は、大便の便器への付着を防止する付着防止成分と、大便の臭気成分を捕捉する臭気捕捉成分と、噴霧により形成されたエアロゾルの重量を増大させる重量増加成分とを含有することとした。
【００１１】
また、本発明に係る容器入り消臭剤は、付着防止成分は、非イオン系界面活性剤であることにも特徴を有する。
【００１２】
また、本発明に係る容器入り消臭剤は、臭気捕捉成分は、両性界面活性剤であることにも特徴を有する。
【００１３】
また、本発明に係る容器入り消臭剤は、重量増加成分は、高分子ポリマーであることにも特徴を有する。
【００１４】
また、本発明に係る消臭組成物では、請求項１〜４いずれか１項に記載の容器入り消臭剤の内容液として使用すべく、大便の便器への付着を防止する付着防止成分と、大便の臭気成分を捕捉する臭気捕捉成分と、噴霧により形成されたエアロゾルの重量を増大させる重量増加成分とを含有させた。
【発明の効果】
【００１５】
請求項１に記載の容器入り消臭剤によれば、噴霧手段を備えた容器とその内容液とで構成され、排便前に前記内容液を便器内に噴霧することにより大便由来の悪臭が拡散するのを未然に防止する容器入り消臭剤であって、前記内溶液は、大便の便器への付着を防止する付着防止成分と、大便の臭気成分を捕捉する臭気捕捉成分と、噴霧により形成されたエアロゾルの重量を増大させる重量増加成分とを含有することとしたため、排便前に便器内に使用することにより、個室内の壁や床を汚すことなく、しかも、悪臭の発生を事前に抑制することのできる容器入り消臭剤を提供することができる。
【００１６】
また、請求項２に記載の容器入り消臭剤によれば、前記付着防止成分は、非イオン系界面活性剤であることとしたため、大便の便器への付着を効果的に抑制することができる。
【００１７】
また、請求項３に記載の容器入り消臭剤によれば、前記臭気捕捉成分は、両性界面活性剤であることとしたため、効率的に悪臭の臭気成分を捕捉して消臭効果を発揮させることができる。
【００１８】
また、請求項４に記載の容器入り消臭剤によれば、前記重量増加成分は、高分子ポリマーであることとしたため、エアロゾルの重量を効率的に重くすることができ、悪臭を捕捉させたエアロゾルを便器内に速やかに降下させることができて、悪臭の拡散を効果的に防止することができる。
【００１９】
さらに請求項５に記載の消臭組成物によれば、請求項１〜４いずれか１項に記載の容器入り消臭剤の内容液として使用すべく、大便の便器への付着を防止する付着防止成分と、大便の臭気成分を捕捉する臭気捕捉成分と、噴霧により形成されたエアロゾルの重量を増大させる重量増加成分とを含有させたため、排便前に便器内に使用することにより、個室内の壁や床を汚すことなく、しかも、悪臭の発生を事前に抑制することのできる消臭組成物を提供することができる。
【図面の簡単な説明】
【００２０】
【図１】本実施形態に係る容器入り消臭剤の外観を示した説明図である。
【発明を実施するための形態】
【００２１】
本発明は、噴霧手段を備えた容器とその内容液とで構成され、排便前に前記内容液を便器内に噴霧することにより大便由来の悪臭が拡散するのを未然に防止する容器入り消臭剤を提供するものである。
【００２２】
本実施形態に係る容器入り消臭剤は、その特徴の一つとして、排便前に使用することで、便臭を極めて効率的に消臭することができる。
【００２３】
本実施形態において排便は、主に大便の排泄を意図しているが、小便時における使用を妨げるものではないし、小便に由来する悪臭についても効率的に消臭することが可能である。
【００２４】
また、本実施形態において排便前とは、排便を行う直前、より具体的には排便時１分前から排便時までの時間であっても良く、また、排便時１分以上前から排便時までの時間であっても良い。
【００２５】
本実施形態に係る容器入り消臭剤は、内容液（消臭組成物）を噴霧して形成したエアロゾルが空間を漂いつつ沈降する間に悪臭成分を捕捉する。したがって、排便前といえど、噴霧により形成したエアロゾルが全て降下してしまった後では、後述の付着防止成分による大便の便器への付着を防止する効果のみが発揮されることとなり、悪臭の拡散防止効果はやや劣ることとなってしまう。それゆえ、本実施形態に係る容器入り消臭剤の噴霧のタイミングは、エアロゾルが便器内空間を漂っている間に排便可能な排便前の時間であるのが望ましい。
【００２６】
また、本実施形態に係る容器入り消臭剤が使用される便器は和式便器でも良いが、洋式便器の方がより消臭効果が発揮される。すなわち、洋式便器の方がボウル部と使用者の臀部とによって略密閉された空間が形成されやすく、この空間に予め本実施形態に係る容器入り消臭剤を使用しておくことにより、悪臭の拡散を効率的に防止することができる。
【００２７】
また、本実施形態に係る容器入り消臭剤では、内溶液は、大便の便器への付着を防止する付着防止成分と、大便の臭気成分を捕捉する臭気捕捉成分と、噴霧により形成されたエアロゾルの重量を増大させる重量増加成分とを含有することに特徴を有している。
【００２８】
付着防止成分は、大便の便器への付着を防止可能な成分であれば特に限定されるものではなく、例えば、非イオン系界面活性剤を用いることができる。付着防止成分は、大便の便器への付着を防止して、大便が便器内の封水等の溜水内に落ち込むのを助長するとともに、溜水外で付着した大便から悪臭が放散されるのを防止する役割を有している。
【００２９】
この付着防止成分は、内容液としての消臭組成物中において、０．１〜２．０％、より好ましくは０．５〜１．５％添加することができる。付着防止成分が０．１％を下回ると汚物の付着防止効果が悪化して好ましくない。また、付着防止成分が２．０％を上回っても汚物の付着防止効果の向上は見られず経済的に不利となる。
【００３０】
また、臭気捕捉成分は大便の臭気を捕捉可能な成分、より好ましくは尿臭と大便の臭気との両者を捕捉可能な成分であれば特に限定されるものではなく、例えば、両性界面活性剤、より具体的にはベタインを用いることができる。この臭気捕捉成分は、噴霧により形成されたエアロゾル表面で悪臭の臭気成分を捕捉する役割を有している。
【００３１】
この臭気捕捉成分は、内容液としての消臭組成物中において、０．０１〜１．０％、より好ましくは０．０３〜０．０８％添加することができる。臭気捕捉成分が０．０１％を下回ると臭気の捕捉効率が悪化して好ましくない。また、臭気捕捉成分が１．０％を上回っても臭気捕捉効率の向上は見られず経済的に不利となる。
【００３２】
また、重量増加成分は噴霧により形成されたエアロゾルの霧滴の重量を増加させて、降下速度を適度に増加させることが可能な物質であれば特に限定されるものではなく、例えば、高分子ポリマーを使用することができる。特に、高分子ポリマーを使用した場合には、エアロゾルの粘性を向上させることができるため、前述の臭気捕捉成分によって捕捉した悪臭の再放出を防止することができ、消臭効果をより確かなものとすることができる。また、高分子ポリマーを使用することにより、適度な重量を有しながらも、エアロゾルの滞空時間を確保することが可能となる。
【００３３】
この重量増加成分は、内容液としての消臭組成物中において、０．５〜３．０％、より好ましくは１．０〜２．０％添加することができる。重量増加成分が０．５％を下回るとエアロゾルの重量が十分でなく臭気を捕捉したエアロゾルの拡散を招くおそれがあり好ましくない。また、重量増加成分が３．０％を上回るとエアロゾルの重量が過剰となってエアロゾルの滞空時間が短くなり、悪臭の捕捉が十分に行われる前に便器内に落下することとなり好ましくない。
【００３４】
このように、本実施形態に係る消臭組成物は、本実施形態に係る容器入り消臭剤の内容液として使用すべく、大便の便器への付着を防止する付着防止成分と、大便の臭気成分を捕捉する臭気捕捉成分と、噴霧により形成されたエアロゾルの重量を増大させる重量増加成分とを含有させているため、排便前に、例えば洋式便器のボウル内に噴霧しておくことにより、液状の消臭組成物のエアロゾルが存在する空間内に排泄されることとなり、溜水内に落下する間に放散される悪臭を捕捉することとなり、悪臭の拡散を防止することができる。
【００３５】
しかも、エアロゾルは重量増加成分によってボウル内空間で降下し易い状態となっており、悪臭を捕捉したエアロゾルは徐々に溜水へ落下し、悪臭の拡散を更に防止することができる。
【００３６】
また、エアロゾル中には界面活性剤含有されているため、溜水に落下した際、速やかに溜水中に分散されるため、溜水からの悪臭の発生をも防止することができる。
【００３７】
また、排便前に噴霧することにより、早速降下したエアロゾルはボウル壁面に付着することとなり、便が便器に付着することを防止して、付着した便による悪臭の拡散を防止することができる。
【００３８】
次に、本実施形態に係る容器入り消臭剤及び消臭組成物について、更に具体的に説明する。
【００３９】
図１は本実施形態に係る容器入り消臭剤Ａの外観を示した説明図である。図１に示すように容器入り消臭剤Ａは、容器１０と、消臭機能を果たす消臭組成物としての内容液１１とで構成している。
【００４０】
容器１０は、内容液１１を収容する容器本体部１２と、使用の際に内容液１１を噴霧するための噴霧部１３とで構成している。
【００４１】
容器本体部１２は、内容液１１に対して化学的に耐性を有する樹脂にて中空状に形成しており、その上部開口近傍の周回りには噴霧部１３の連結部１５に螺合する雄ネジ（図示せず）が形成されている。なお、図１において容器本体部１２は、内部の状態を示すために半透明状態として記載しているがこれに限定されるものではなく、内容液１１の量が分かるように透明としても良いし、光等による内容液１１の変性を防止するために、可視光や紫外光を遮光可能に形成しても良い。また、商品名等を示したラベルを貼付しても良い。
【００４２】
噴霧部１３は、容器本体部１２内に収容した内容液１１を噴霧するための噴霧手段として機能する部位であり、吸上チューブ１４と、連結部１５と、霧化部１６とを備えている。
【００４３】
吸上チューブ１４は、容器本体部１２内にて底部近傍まで伸延する中空状の管であり、収容した内容液１１を流通させて霧化部１６へ供給する役割を果たす。
【００４４】
連結部１５は、内周面に雌ネジが形成されたリング状の部材であり、容器本体部１２の雄ネジに螺合させることにより、同容器本体部１２の上部開口に後述の霧化部１６の基部を密着させて閉塞すると共に、容器本体部１２に対して噴霧部１３を固定する役割を果たす。
【００４５】
霧化部１６は、吸上チューブ１４を介して吸い上げた内容液１１を霧化して噴霧するための部位であり、使用時に操作レバー１６ａを把持しつつ動かすことによりノズル１６ｂより内容液１１が噴霧され、同ノズル１６ｂの前方空間に内容液１１のエアロゾルが形成される。
【００４６】
内容液１１は、内溶液は、大便の便器への付着を防止する付着防止成分と、大便の臭気成分を捕捉する臭気捕捉成分と、噴霧により形成されたエアロゾルの重量を増大させる重量増加成分とが含まれた水性の液剤である。
【００４７】
具体的には、付着防止成分として終濃度１．０％の日本エマルジョン社製非イオン系界面活性剤と、臭気捕捉成分として終濃度０．０５％のライオン社製両性界面活性剤ベタインと、重量増加成分として終濃度１．５％の日光ケミカル社製水溶性高分子ポリマーとを配合させて、さらに液性を中性としている。
【００４８】
また、内容液には終濃度０．１％の緑茶由来の消臭成分を添加しており、臭気捕捉成分と協働して悪臭を低減するようにしている。
【００４９】
さらに、内容液１１は、水分を９７〜９８％としており、内容液１１自体のべたつきを抑えるようにしている。
【００５０】
このように、本実施形態に係る容器入り消臭剤によれば、排便前に便器内に使用することにより、個室内の壁や床を汚すことなく、しかも、悪臭の拡散を事前に抑制することができる。
【００５１】
次に、本実施形態に係る容器入り消臭剤の消臭効果確認試験について述べる。家族を有する男性被験者１０名を設定し、各被験者が排便を行う前に本実施形態に係る容器入り消臭剤を使用してもらい、排便後被験者家族によりトイレ個室内の悪臭の度合いについて判定させた。なお、各被験者が使用したトイレはいずれも洋式便器であり、容器入り消臭剤の使用は、操作レバー１６ａを３回操作させて便器ボウル内の空間に約４〜６mLの液体消臭組成物を噴霧させ、前記空間に十分な量のエアロゾルが存在する状態とした。
【００５２】
また、容器入り消臭剤の噴霧操作は、排便前１分以内に行うこととし、排便後の家族による評価は、使用者がトイレ個室から退出して直ちに５段階評価にて行うこととした。５段階評価は、猛烈な悪臭：５点、強い悪臭：４点、やや強い悪臭：３点、弱い悪臭：２点、殆ど悪臭がしない：１点とした。その結果を表１に示す。
【表１】
2014008265.tif 000003
【００５３】
表１からも分かるように、本実施形態に係る容器入り消臭剤を使用した場合、同消臭剤を使用しない場合に比して、悪臭の拡散を効果的に防止できることが示された。
【００５４】
特に、各被験者やその家族によれば、便器への大便の付着が低減され、付着した大便からの臭気発生を効果的に抑制でき、しかも、便器内の掃除が極めて容易となったとの声も聞かれた。
【００５５】
このように、本実施形態に係る容器入り消臭剤は、本実施形態に係る液状の消臭組成物にて形成されるエアロゾルによって悪臭を吸着し、比較的速やかに便器内や同内部の溜水に落下することで、トイレ個室内での悪臭の拡散を効果的に防止できる。
【００５６】
上述してきたように、本実施形態に係る容器入り消臭剤は、噴霧手段を備えた容器とその内容液とで構成され、排便前に前記内容液を便器内に噴霧することにより大便由来の悪臭が拡散するのを未然に防止する容器入り消臭剤であって、前記内溶液は、大便の便器への付着を防止する付着防止成分と、大便の臭気成分を捕捉する臭気捕捉成分と、噴霧により形成されたエアロゾルの重量を増大させる重量増加成分とを含有することとしたため、排便前に便器内に使用することにより、個室内の壁や床を汚すことなく、しかも、悪臭の拡散を事前に抑制することができる。
【００５７】
また、本実施形態に係る消臭組成物によれば、請求項１〜４いずれか１項に記載の容器入り消臭剤の内容液として使用すべく、大便の便器への付着を防止する付着防止成分と、大便の臭気成分を捕捉する臭気捕捉成分と、噴霧により形成されたエアロゾルの重量を増大させる重量増加成分とが含有されているため、排便前に便器内に使用することにより、個室内の壁や床を汚すことなく、しかも、悪臭の拡散を事前に抑制することができる。
【００５８】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００５９】
１０  容器
１１  内容液
１２  容器本体部
１３  噴霧部
１４  吸上チューブ
１５  連結部
１６  霧化部
１６ａ  操作レバー
１６ｂ  ノズル
Ａ  消臭剤
【図１】
2014008265.tif 000004